(57)【要約】      （修正有）【課題】構成部品の組合せの自由度を高め様々な攻撃特性、回転特性を選択することができるとともに、各構成部品をガタツキがなく確実に連結することができるコマ玩具を提供する。【解決手段】遊戯盤上で対戦相手のコマ玩具と対戦させるコマ玩具Ａにおいて、該コマ玩具Ａは対戦相手のコマ玩具を攻撃する上層部材１と、コマ玩具Ａの高さを決める中層部材２と、遊戯盤上でのコマ玩具Ａの移動態様を決める下層部材３とを層状に重ねて構成され、上記上層部材１と、中層部材２とはネジ状の連結部材４で連結できるように、上記上層部材１には連結部材４のネジ部を差し込む開口部が形成され、上記中層部材２には上記連結部材４のネジ部が螺合するネジ孔を形成するとともに、上記下層部材３を上記中層部材２の下部に嵌合可能に形成した。【選択図】図１
0003142474.tif 000002
【実用新案登録請求の範囲】
【請求項１】
遊戯盤上で対戦相手のコマ玩具と対戦させる、以下の要件を備えることを特徴とするコマ玩具。
（イ）上記コマ玩具は対戦相手のコマ玩具を攻撃する機能を備えた上層部材と、コマ玩具の高さを決める機能を備えた中層部材と、遊戯盤上でのコマ玩具の移動態様を決める機能を備えた下層部材とを層状に重ねて構成されていること
（ロ）上記上層部材と、中層部材とはネジ状の連結部材で連結され、上記上層部材の中央には連結部材のネジ部を差し込む開口部が形成され、上記中層部材には上記連結部材のネジ部が螺合するネジ孔が形成されていること
（ハ）上記下層部材は上記中層部材の下部に嵌合可能に形成したこと
【請求項２】
前記上層部材を金属で形成し、該上層部材が重量の大きい錘の機能を備えた、請求項１記載のコマ玩具。
【考案の詳細な説明】
【技術分野】
【０００１】
本考案は、コマ玩具、詳しくはコマ玩具を構成する部材の分解、組付けを容易にしたコマ玩具に関するものである。
【背景技術】
【０００２】
従来、構成部材を組替えることにより、簡単に回転特性が異なるように改造することができる様々なコマ玩具が本出願人より提案され、実用に供されている（例えば、特許文献１）。このコマ玩具は、最下層のベース部材１と、ベース部材１の上部に配置された中層部材２と、中層部材２の上部に配置された上層部材３と、上層部材３上に配置されたキャラクター表示体４とから構成され、上記各部材１、２、３、４は層状に配置されているものである。上記中層部材は他の部材に比べて重量の大きい錘部材とするため金属で形成し、上層部材は外側端がベース部材１と中層部材２の外側にはみ出すように形成され、その外縁部の形状によって他のコマ玩具の上層部材３に当たったときの攻撃力が異なるように合成樹脂で形成され、ベース部材は高さと回転軸の先端の面積の大きなものだ用意されている。
【特許文献１】実用新案登録第３０６７３１８号公報
【考案の開示】
【考案が解決しようとする課題】
【０００３】
本考案が解決しようとする問題点は、上述のコマ玩具は、中層部材は錘の役目を担い、上層部材は対戦相手のコマ玩具を攻撃する役目を担い、上層部材を交換することにより攻撃力が異なるようになっており、ベース部材を交換することによりコマ玩具の高さと回転軸の先端の形状により遊戯盤上の移動、回転特性を選択できるようになっているが、ベース部材の高さと先端の形状が予め設定されているため、より多岐に渡った回転特性や移動特性を選択することができなかったし、上層部材をベース部材に嵌め合わせる際中層部材を間に挟んだ状態で連結するため、部材間にガタツキが生じる問題があった。
【０００４】
本考案は、上記問題点を解決し、構成部品の組合せの自由度を高め様々な攻撃特性、回転特性を選択することができるとともに、各構成部品をガタツキがなく確実に連結することができるコマ玩具を提供することを課題とする。
【課題を解決するための手段】
【０００５】
前記課題を解決するために本考案に係るコマ玩具は、遊戯盤上で対戦相手のコマ玩具と対戦させる、以下の要件を備えることを特徴とする。
（イ）上記コマ玩具は対戦相手のコマ玩具を攻撃する機能を備えた上層部材と、コマ玩具の高さを決める機能を備えた中層部材と、遊戯盤上でのコマ玩具の移動態様を決める機能を備えた下層部材とを層状に重ねて構成されていること
（ロ）上記上層部材と、中層部材とはネジ状の連結部材で連結され、上記上層部材の中央には連結部材のネジ部を差し込む開口部が形成され、上記中層部材には上記連結部材のネジ部が螺合するネジ孔が形成されていること
（ハ）上記下層部材は上記中層部材の下部に嵌合可能に形成したこと
【０００６】
なお、前記上層部材を金属で形成し、該上層部材が重量の大きい錘の機能を備えることが好ましい。
【考案の効果】
【０００７】
請求項１の考案によれば、自由度の高い組み合わせを行なうことができるとともに、上層部材と中層部材とをネジ状の連結部材で連結したことにより、ガタツキがなく連結することができ、構成部品の簡素化を図るとともにバリエイションに富んだコマ玩具を実現することができる。
【０００８】
請求項２の考案によれば、上層部材を金属で形成することにより、従来のコマ玩具のように攻撃用の部材を合成樹脂で形成し、コマ玩具全体の重量を大きくするための錘部材を別途用意する必要がなく、構成部品を少なくすることができる。
【考案を実施するための最良の形態】
【０００９】
図１は、本考案に係るコマ玩具の一例を示し、このコマ玩具Ａは対戦相手のコマ玩具を攻撃する機能を備えた上層部材１と、コマ玩具の高さを決める中層部材２と、遊戯盤上でのコマ玩具の移動態様を決める下層部材３と、上記上層部材１と中層部材２とを連結するネジ状の連結部材４とで構成されている（図２参照）。
【００１０】
上層部材１は中央に連結部材４を差し込む開口部５を設けた円板状に形成され、外周面には外方に張り出して対戦相手のコマ玩具と接触して攻撃する機能である攻撃部６が形成されている。そして、底面には開口部５を挟んで対称に一対の嵌合突部７が下方に突出して形成されている（図３（ａ）の底面図参照）。この嵌合突部７を後述する中層部材２の嵌合凹部１１に嵌め合わせることにより、上層部材１と中層部材２との組み付けを容易にするとともに、周方向の遊びがなくなるようにしている。
【００１１】
中層部材２は筒状に形成され、内壁面には後述する連結部材４のネジ４ａを螺合させるネジ山８が形成されネジ孔９を構成している。そして、上部外周面は外方に膨出し、この膨出部１０には対称に一対の嵌合凹部１１が形成されている（図３（ｂ）の平面図参照）。
【００１２】
この膨出部１０から下方に延出した筒部１２の一部は長さＬが中層部材２毎に異なる高さを決める機能である調整部１３を構成し、この調整部１３が３段、２段、１段若しくは、調整部１３のないものがあり（図４（ａ）〜（ｄ）参照）、この調整部１３の長さＬの異なる中層部材２を選択することにより、組み上げ後のコマ玩具Ａ全体の高さを変えることができ、相手のコマ玩具を下から攻撃するのか、上から攻撃するのか、真横から攻撃するのか等攻撃のパターンを設定できるようになっている。そして、この筒部１２の下端外側面には、後述する下層部材３に形成された開口部１６に係合する一対の係合突部１４が形成されている（図３（ｃ）の底面図参照）。
【００１３】
下層部材３は、逆円錐台状に形成され、下方に軸部１５が突出して形成されている。この下層部材３は軸部１５の形状によって遊戯盤上で回転するコマ玩具の移動態様を決める機能を備えたもので、図５(ａ)〜（ｃ）に示すように、軸部１５の先端１５ａが平坦であれば周縁が遊戯盤の上面に接触するので先端の直径の大きさに比例して遊戯盤上での移動の大きさが変わり、大きければ（図５(ｄ)参照）遊戯盤上での移動が大きく、先端が半球状になっている場合（図５(ｅ)参照）は点接触になり遊戯盤上で移動せずに一箇所に留まって相手のコマがぶつかってくるのを待つように移動状態が変化するようになっている。
【００１４】
そして、軸部１５の外側には軸部１５を中心に対称に一対の円弧状の開口部１６が形成され、この開口部１６の内壁の一部は軸部１５側に膨出して膨出部１７が形成され、この膨出部１７に上記中層部材２の係合突部１４が係合して中層部材２に下層部材３を固定できるようになっている(図３（ｄ）の底面図参照)。
【００１５】
上記構成のコマ玩具を組み立てる場合は、先ずコマ玩具の特徴を考えて上層部材１、中層部材２、下層部材３を選択する（図６（ａ）参照）。各部材を選択したならば、上層部材１の嵌合突部７を中層部材の嵌合凹部１１に嵌め合わせる（図６（ｂ）参照）。
【００１６】
次に、連結部材４のネジ４ａを開口部５から差し込み、中層部材２のネジ孔９に捻じ込み、上層部材１を中層部材２に固定する。この状態では連結部材４で上層部材１が中層部材２に圧接されてガタツキガなく固定されている（図６（ｃ）参照）。
【００１７】
次に、下層部材３の開口部１６を中層部材２の筒部１２に形成された係合突部１４に対応させて差し込み、周方向に回して係合突部１４を膨出部１７の下側に係合させることにより（図６（ｄ）参照）、図１に示すような、上層部材１、中層部材２、下層部材３とからなるコマ玩具Ａを組み上げることができる。
【００１８】
組み上げた状態で、下層部材３を交換したければ、下層部材３を取り付け時と逆に回転して係合突部１４と膨出部１７の係合を外せば取り外せるので、取り外したら新たな下層部材３を取り付ければよいし、上層部材１を交換したければ、連結部材４を逆に回して、中層部材２との螺合を外せば上層部材１を中層部材２から取り外せるので、取り外したら新たな上層部材１の嵌合突部７を中層部材の嵌合凹部１１に嵌め合わせ連結部材４を締め込めば上層部材１と中層部材２とを連結することができるので、容易に組替えをすることができる。
【００１９】
なお、中層部材を交換する際は、全ての部材を一旦分離し、新たに組み上げる必要がある。
【図面の簡単な説明】
【００２０】
【図１】本考案に係るコマ玩具の一例を説明する斜視図
【図２】上記コマ玩具の分解斜視図
【図３】（ａ）、（ｂ）、（ｃ）及び（ｄ）はコマ玩具を構成する上層部材の底面図、中層部材の平面図、中層部材の底面図及び下層部材の平面図を示す
【図４】（ａ）〜（ｄ）は中層部材の平面側斜視図及び正面図
【図５】（ａ）〜（ｅ）は下層部材の底面側斜視図
【図６】（ａ）〜（ｄ）はコマ玩具の組立ての過程を説明する正面図
【符号の説明】
【００２１】
１    上層部材
２    中層部材
３    下層部材
４    連結部材
５    開口部
Ａ    コマ玩具
【図１】
0003142474.tif 000003
【図２】
0003142474.tif 000004
【図３】
0003142474.tif 000005
【図４】
0003142474.tif 000006
【図５】
0003142474.tif 000007
【図６】
0003142474.tif 000008